(57)【要約】【課題】雨水の浸潤及び漏水を防止し、且つ屋根裏に断熱層を形成して屋内の温度上昇を防ぐことができる木造建物の屋根裏シールド部材であって、建物の新築にも、既存建物のリフォームにも容易に用いることができる屋根裏シールド部材を提供することを課題とする。【解決手段】溝部Ｘの両側端から折目１Ａ，１Ａを付けて上方に曲げられて立設された立ち上がり壁部１，１，及び両立ち上がり壁部１，１の上端から折目１Ｂ，１Ｂを付けて外側に曲げられて設けられた取り付け縁部２，２からなる屋根裏シールド部材であって、溝部Ｘと立ち上がり壁部１，１，立ち上がり壁部１，１と取り付け縁部２，２が、何れも折目１Ａ，１Ａ，１Ｂ，１Ｂで屈曲自在である木造建物の屋根裏シールド部材である。建物の新築においては取り付け縁部２，２を垂木の上面に係止して接合し、リフォームの際には取り付け縁部２，２を隣り合う垂木の対向する側面に接合して取り付ける。【選択図】図１
0003133290.tif 000002
【実用新案登録請求の範囲】
【請求項１】
溝部の両側端から折目を付けて上方に曲げられて立設された両立ち上がり壁部，及び両立ち上がり壁部の上端から折目を付けて外側に曲げられて設けられた取り付け縁部からなる屋根裏シールド部材であって、溝部と立ち上がり壁部，及び立ち上がり壁部と取り付け縁部が、何れも前記折目で屈曲自在であることを特徴とする木造建物の屋根裏シールド部材。
【請求項２】
取り付け縁部の前後方向の長さが、溝部の前後方向の長さよりも短く形成され、取り付け縁部前端と溝部前端とが斜めに形成されてなることを特徴とする請求項１に記載の木造建物の屋根裏シールド部材。
【請求項３】
取り付け縁部の左右方向の幅が、立ち上がり壁部の上下両端間の距離よりも幅広く形成されてなることを特徴とする、請求項１又は請求項２に記載の木造建物の屋根裏シールド部材。
【請求項４】
請求項１から請求項３に記載の木造建物の屋根裏シールド部材において、溝部が、１又は複数の、下方へ凹める折目を有することを特徴とする、請求項１から請求項３の何れか１項に記載の木造建物の屋根裏シールド部材。
【請求項５】
シールド部材がプラスチック段ボール材からなることを特徴とする、請求項１から請求項４の何れか１項に記載の木造建物の屋根裏シールド部材。
【考案の詳細な説明】
【技術分野】
【０００１】
本考案は、木造建物の屋根施工に用いられる、屋根裏シールド部材に関する。
【背景技術】
【０００２】
木造建物は軸組工法によって建築されることが多く、木造建物の屋根は、棟木及び軒桁、並びにそれらの間に配置された母屋桁の上に、それらの桁と直行する様にほぼ一定の間隔で垂木を配置した後、垂木の上に野地板及び防水シートを張り瓦等の屋根材を葺く施工方法によって造られるのが一般的である。
【０００３】
雨水の浸潤又は漏水は、桁，垂木，野地板を初めとする木材の腐朽を促し建物の耐用期間を短くする原因となる外、屋内の湿度を高め、畳や家具等の家財を傷める原因ともなる。野地板の上に、合成樹脂性シート，防水紙，アスファルトルーフィング等の防水シートを張り、雨水の浸潤及び漏水を防ぐ試みがなされているものの、風雨，太陽からの放射熱，長期間の使用による劣化等によって防水シートの一部が破損又は変形してしまい、雨水の浸潤又は漏水を許してしまうことがある。また、防水シートは、一般的に釘やステープル等の止着材で野地板に張り付けられるが、止着材取り付け部位に生じた僅かな隙間から、雨水が浸潤又は漏水する虞もある。木材の腐朽を回避し、且つ屋内の湿度が高くなることを防ぐためには、前記防水シートを用いるのみでは不充分であって、更なる防水施工によって、桁，垂木，野地板等の木材を乾燥した状態に保つことが必要である。
【０００４】
一方、直射日光が当ることによって屋根材の温度は高くなり、約７０℃にまで到達することもある。これに伴って屋内の温度が上昇し、居住者に不快感を与えるばかりでなく、居住者の健康を害し家財を傷める虞がある。これらの問題点を解消するためには、屋根材の温度が上昇しても屋内の温度が上昇しない様、断熱性を高めることが必要である。木造建物の強度は木材によって担われていてコンクリート製断熱材の様な重い断熱材を用いることは現実的でなく、また安全に施工を行う上でも支障がある。そのため、軽量で断熱層を作ることのできる部材があれば、木造建物の断熱施工に有効である。
【０００５】
雨水の浸潤若しくは漏水を防ぐ目的、又は断熱層を形成して屋内の温度上昇を回避する目的のために用いられる屋根裏シールド部材又はシールド部材を用いた屋根構造が開示されている。
【０００６】
例えば、特許文献１に記載の建築用部材は、両側縁に沿って垂木の上面に嵌着するための断面逆Ｕ字状の引掛部を設け、両引掛部間に引掛部の上面よりも下方へ凹没した断面Ｕ字状の溝部を形成して成る建築用部材である。
【０００７】
また、本考案の考案者によって、木造建物の屋根桁に等間隔に配設した垂木と垂木の間に嵌め込むように薄板材の左右両側を上方へ折曲げて凹溝を形成すると共に、折曲げ端部を外側へ水平に折曲げて垂木の上面に係止されるための係止部を設けてなることを特徴とする木造建物の屋根のシールド部材が開示されている（例えば、特許文献２参照）。
【０００８】
更に、特許文献３には、
野地板の裏面に設けられた垂木と、
隣り合う前記垂木の間に設けられ、かつ平板を折り曲げてなる通気用スペーサと、を備え、
前記通気用スペーサは、前記野地板との間に通気用の空間を確保する通気用スペーサ本体と、この通気用スペーサ本体の一端部に形成された第１固定板部と、前記通気用スペーサの他端部に形成された第２固定板部とを有しており、
前記第１固定板部は隣り合う垂木のうちの一方の垂木又は野地板に固定され、前記第２固定板部は他方の垂木又は野地板に固定されており、
前記通気用スペーサ本体には、屈折角度を調整可能な屈折部が少なくとも１つ形成されていることを特徴とする屋根構造が開示されている。
【０００９】
【特許文献１】実開昭５７−１０２６１９号公報
【特許文献２】特開２００２−１８０５８８号公報
【特許文献３】特開２００６−１７６９７６号公報
【考案の開示】
【考案が解決しようとする課題】
【００１０】
しかしながら、特許文献１に記載の建築用部材は、断面逆Ｕ字状の引掛部によって垂木を覆う様にして取り付ける必要があるから、野地板が取り付けられた状態では、取り付け施工することができない。したがって、新築建物の屋根を造る際には利用できるものの、既存建物のリフォームに用いる際には、一旦野地板を外す必要があり、容易に適用することはできない。
【００１１】
また、隣り合う垂木の間隔や垂木のサイズは施工業者により差異があり、施工の都度、建物に合せて前記建築用部材を作成する必要がある。量産された建築用部材を全ての建物に適用することはできず、そのために加工費が掛かり高額な費用が必要となる。
【００１２】
雨水の浸潤若しくは漏水を防ぎ、又は断熱層を形成して屋内の温度上昇を回避するためには、垂木と同一長の非常に長い前記建築用部材を用いるか、又は複数の前記建築用部材をその一部を重ねる様にして垂木に沿って連設する必要がある。垂木と同一長の建築用部材を用いる場合、垂木の長さは個々の建物によって異なるから施工の都度部材を作成する必要があり高額な加工費を要するし、非常に長い建築用部材を用いることで運搬，取り付け等の作業に甚大な手間を必要とし安全に施工作業を行うことも困難となる。一方、建築用部材の一部を重ねて連設する場合、部材の重なった部分が厚くなるために凹凸が生じ、野地板を張り付けると隙間を生じ、その隙間から雨水の浸潤又は漏水が起る虞がある。
【００１３】
特許文献２に記載のシールド部材は、垂木の上面に係止して固定するから、野地板が既に取り付けられた状態では、取り付けることができない。そのため、既存建物のリフォームに用いる際には、一旦野地板を外す必要があり、容易に適用することはできない。
【００１４】
係止部が垂木の上面に掛けて取り付ける型であるから、垂木のサイズの施工業者間の差を気に掛ける必要は無いものの、隣り合う垂木の間隔が異なると、施工の都度その間隔に合せてシールド部材を作成する必要がある。量産されたシールド部材を全ての建物に適用することはできず、そのために加工費が嵩む虞がある。
【００１５】
雨水の浸潤若しくは漏水を防ぎ、又は断熱層を形成して屋内の温度上昇を回避するためには、シールド部材の一部を重ねる様にして垂木に沿って連設する必要がある。しかし、シールド部材の重なった部分が厚くなるために凹凸が生じ、野地板を取り付けると隙間を生じるから、隙間を介した雨水の浸潤又は漏水が起る虞がある。
【００１６】
特許文献３に記載の屋根構造に係る通気用スペーサは、建築用屋根パネルに予め取り付けられた後、前記建築用屋根パネルごと屋根と天井との取合部に取り付けられる物であって、施工現場において屋根に取り付けられる本考案の屋根裏シールド部材とは本質的に異なる物である。通気用スペーサは、１個の建築用屋根パネルの一部に１個ずつ取り付けられていて通気の機能は有するものの、通気用スペーサを連設することができないから、防水能又は断熱能を与えることは無い。
【００１７】
前記通気用スペーサのみを屋根に取り付け施工すると想定したとしても、垂木に該当する框材にのみ接合する場合には、野地板が張り付けられた状態で取り付けることはできないから、リフォームに用いることはできない。リフォームのため既存建物の屋根に取り付ける場合には、野地板に該当する面材にステープルや釘等の止着材を用いて取り付ける必要があり、前記止着材を取り付けた部分に必ず隙間が生じるから、その隙間から雨水が浸潤又は漏水する虞がある。
【００１８】
上述の通り、雨水の浸潤若しくは漏水を防ぐこと、又は断熱層を形成して屋内の温度上昇を回避することを目的とする屋根裏シールド部材は開示されているものの、全ての機能を同時に満足するものは開示されていない。また、何れも、新築建物を対象とするものばかりであり、既存建物のリフォームに容易に適用することはできない。
【００１９】
上記問題点に鑑み、本考案は、雨水の浸潤及び漏水を防止し、且つ屋根裏に断熱層を形成して屋内の温度上昇を防ぐことができる屋根裏シールド部材であって、新築の際にも既存建物のリフォームにも用いることができ、垂木の間隔に関係無く防水能及び断熱能を与えることのできる屋根裏シールド部材を提供することを課題とする。
【課題を解決するための手段】
【００２０】
上記課題を解決するために、本考案の請求項１記載の木造建物の屋根裏シールド部材は、溝部の両側端から折目を付けて上方に曲げられて立設された両立ち上がり壁部，及び両立ち上がり壁部の上端から折目を付けて外側に曲げられて設けられた取り付け縁部からなる屋根裏シールド部材であって、溝部と立ち上がり壁部，及び立ち上がり壁部と取り付け縁部が、何れも前記折目で屈曲自在にしてなる。
【００２１】
請求項２記載の木造建物の屋根裏シールド部材は、請求項１に記載の木造建物の屋根裏シールド部材であって、取り付け縁部の前後方向の長さが、溝部の前後方向の長さよりも短く形成され、取り付け縁部前端と溝部前端とが斜めに形成されてなることを特徴としている。
【００２２】
請求項３は、請求項１又は請求項２に記載の木造建物の屋根裏シールド部材であって、取り付け縁部の左右方向の幅が、立ち上がり壁部の上下両端間の距離よりも幅広く形成されてなることを特徴としている。
【００２３】
請求項４は、請求項１から請求項３に記載の木造建物の屋根裏シールド部材において、溝部が、１又は複数の、下方に凹める折目を有することを特徴とする、請求項１から請求項３の何れか１項に記載の木造建物の屋根裏シールド部材である。
【００２４】
請求項５は、シールド部材がプラスチック段ボール材からなることを特徴とする、請求項１から請求項４の何れか１項に記載の木造建物の屋根裏シールド部材である。
【考案の効果】
【００２５】
本考案の木造建物の屋根裏シールド部材は、溝部の左右にそれぞれ立ち上がり壁部及び取り付け縁部が設けられた形状であるから、新築時には前記取り付け縁部を垂木の上面に係止する様にして取り付けることができる。溝部と立ち上がり壁部との成す角度及び立ち上がり壁部と取り付け縁部との成す角度がそれぞれ任意に変えられるから、既存建物のリフォームに際しては、前記取り付け縁部を、互いに隣り合う垂木の対向する側面に接合する様にして容易に取り付けることができる。よって、本考案の屋根裏シールド部材は、建物の新築に際しても、既存建物のリフォームに際しても容易に適用できる。
【００２６】
また、隣り合う垂木間の間隔が異なっていたとしても、溝部と立ち上がり壁部との成す角度及び立ち上がり壁部と取り付け縁部との成す角度を調整することによって、本考案を取り付けることができる。また、取り付け縁部が直方体状であって、逆Ｕ字状でないから、垂木のサイズによって個別に作成する必要が無い。本考案が単一のサイズ及び形状で作成されていたとしても、多様な建物に適用することができるから、量産によって安価に提供することができる。
【００２７】
本考案の屋根裏シールド部材は、野地板と相俟って屋根裏に空間を形成する。本考案の屋根裏シールド部材を垂木に沿って連設することにより、前記空間は、屋根下端の軒桁付近及び屋根頂部の棟木付近の２箇所にのみ開口を有し他部位は密閉されたものとなる。例え野地板を介して雨水が浸潤又は漏水したとしても、雨水は本考案の溝部に受け止められるから、屋内への漏水を防ぐことができる。その後、雨水は前記空間を通じて軒桁付近から屋外に排出されるから、桁，垂木，野地板等の木材の周辺は低い湿度に維持される。
【００２８】
また、屋根が太陽からの放射熱によって熱せられたとしても、前記空間が存在するため、屋内への熱伝導を防ぐことができる。前記空間内の空気は熱せられるものの、その後前記空間内を上昇し、棟木付近から外部へ放出される。これらの作用によって、屋内の温度上昇は回避される。
【００２９】
上述の防水及び断熱の機能によって、桁，垂木，野地板等の木材は乾燥した状態に保たれ、腐朽菌の発生も抑制されるから、建物の耐用期間を伸ばすことが可能である。
【００３０】
本考案の屋根裏シールド部材は、釘やステープル等の止着材で野地板に取り付ける必要が無いから、雨水に晒され易い野地板に、必要以上に止着材の取り付け部位を生じることがなく、前記取り付け部位の隙間から雨水が浸潤又は漏水することを抑制できる。
【００３１】
雨水の浸潤又は漏水を確実に防ぐためには、複数の屋根裏シールド部材を連設し、且つ隣り合う屋根裏シールド部材の溝部の一部を重ねることが有効である。請求項２に記載の屋根裏シールド部材は、取り付け縁部の前後方向の長さが溝部の前後方向の長さよりも短いから、取り付け縁部を重ねずに、溝部の一部を重ねて取り付けることが可能である。新築建物の垂木の上面に、取り付け縁部が互いにその前後端を接する様にして本考案を連設すると、垂木上に凹凸ができることが回避され、野地板を面一に張り付けることができる。余計な隙間が生じないから、雨水の浸潤又は漏水をより有効に回避できる。
【００３２】
請求項３に記載の屋根裏シールド部材は、取り付け縁部の左右方向の幅が、立ち上がり壁部の上下両端間の距離よりも長いから、前記取り付け縁部を垂木の側面に接合するに際して、溝部及び立ち上がり壁部が作業の邪魔にならず、リフォームのための取り付け施工が容易である。
【００３３】
請求項４に記載の屋根裏シールド部材を用いると、溝部が下方へ凹むように折目を有するから、浸潤又は漏水した雨水の量が少ない場合でも、傾斜によって折目付近に雨水が集まり易く、雨水の効率的な排出が可能となる。それによって、本考案と野地板の成す空間内，及び桁，垂木，野地板等の木材の周辺を乾燥した状態に保つことができるから、腐朽菌の繁殖防止にも寄与する。
【００３４】
請求項５に記載の屋根裏シールド部材は、材質としてプラスチック段ボール材を用いることにより、軽量でありながら十分な強度を有する。太陽からの放射熱によっても変形し難く、腐食もしないから、長期に亘る使用に堪え得る。撥水性を有しているから、雨水を排出する能力も高く、垂木や野地板等の木材を、より乾燥した状態に保つことが可能である。
【考案を実施するための最良の形態】
【００３５】
以下に、本考案を実施するための最良の形態を、実施例を示す図面を参照して詳細に説明する。尚、本実施例に、本考案は限定されるものではない。
【実施例１】
【００３６】
図１は、本考案に係る屋根裏シールド部材Ｓの実施例を示す図面で、（ａ）は斜視図、（ｂ）は正面図であり、（ｃ）は屋根裏シールド部材の他の実施形態を示す正面図である。図２は、屋根裏シールド部材の展開図を示す平面図である。
【００３７】
本考案に係る屋根裏シールド部材は、図１及び図２に示す様に、中央に配置された直方体状の溝部Ｘ，溝部Ｘの両側端から上方に曲げられて立設された立ち上がり壁部１，１，及び両立ち上がり壁部１，１の上端から外側に曲げられて設けられた直方体状の取り付け縁部２，２からなる屋根裏シールド部材であって、前記溝部Ｘと立ち上がり壁部１，１，及び立ち上がり壁部１，１と取り付け縁部２，２が、何れも折目１Ａ，１Ａ，１Ｂ，１Ｂで屈曲自在にしてなる。
【００３８】
本考案の屋根裏シールド部材は、好ましくはポリプロピレン樹脂製のプラスチック段ボール材で作成されるが、これに限定されるものではなく、ポリカーボネート等の他の合成樹脂，帯電防止剤等の添加剤が混入された合成樹脂の他、防水紙，表面が防錆処理された金属等で作成されていても良い。
【００３９】
ポリプロピレン樹脂製のプラスチック段ボール材で作成されてなる場合、ポリプロピレン樹脂は軽量であるから、施工現場への運搬や取り付け施工が容易であって、取り付け施工後も建物に大きな負荷を与えることが無い。ハーモニカ様の中空構造のために十分な強度を有しているから、保管や運搬の際に意図せず力が加わっても容易に変形しない上、施工後も、野地板や屋根材の重みで潰れることが回避される。また、十分な耐熱性を有していて太陽からの放射熱によっても容易に変形しない上、木材の様に腐食する虞も無いから、長期に亘る使用に堪え得る。撥水性を有しているから、本考案の上層に張られた野地板を介して雨水が浸潤又は漏水したとしても前記雨水をより確実に排出することができる。プラスチック段ボール材は、それ自体の断熱性も高いから、本考案による断熱能をより高くすることができる。
【００４０】
立ち上がり壁部１，１は折目１Ａ，１Ａで屈曲された直角台形状であって、その長い方の底辺が、前記溝部Ｘの両側端と接しており、立ち上がり壁部１の後端は、図２に示される展開図において、溝部Ｘの後端と同一線上にある。
立ち上がり壁部１，１の前端１ａ，１ａは、後方に向けて徐々に高くなる傾斜を持つ直線状に形成され、取り付け縁部２，２の前端２ａ，２ａは後端と平行に形成されている。
【００４１】
立ち上がり壁部１，１の上端には、互いに左右対称な取り付け縁部２，２が、折目１Ｂ，１Ｂで屈曲自在に設けられている。取り付け縁部２は直方体状の形状であって、その左右両端の辺は溝部Ｘの左右両端の稜線と平行であって、前後両端の辺は溝部Ｘの前後両端の辺と平行である。取り付け縁部２の前後方向の長さＬ２は、溝部Ｘの前後方向の長さＬ１よりも短く形成されている。垂木上に取り付け縁部２，２を係止して接合する場合、隣接する屋根裏シールド部材の取り付け縁部２を、その前後端が接する様にして取り付けたとしても、溝部Ｘは重なる。より高い密閉性を達成しつつ、垂木上面に面一に取り付けることができるから、野地板を張り付けた後も、より高い防水能を与える。
【００４２】
図１において示される、取り付け縁部２の左右方向の幅Ｗは、リフォーム用の場合、立ち上がり縁部１の上下両端間の距離Ｈよりも幅広く形成されている。本考案の取り付け縁部２，２を、互いに隣り合う垂木の対向する側面に接合する際、溝部Ｘ及び立ち上がり壁部１，１が邪魔にならず、取り付け施工が容易に行える。
【００４３】
溝部Ｘと立ち上がり壁部１，及び立ち上がり壁部１と取り付け縁部２は、それぞれ折目１Ａ，１Ｂで屈曲自在であるから、任意角度に曲げた状態で、本考案の屋根裏シールド部材を取り付け施工することができる。隣り合う垂木間の間隔は施工業者によって差があるが、本考案の屋根裏シールド部材は、その間隔の大小に関わらず取り付けることが可能である。
【実施例２】
【００４４】
次に、屋根裏シールド部材の他の実施形態としては、図１（ｃ）に示す様に、中央に配置された直方体状の溝部Ｘ，溝部Ｘの両側端から上方に曲げられて立設された立ち上がり壁部１，１，及び両立ち上がり壁部１，１の上端から外側に曲げられて設けられた直方体状の取り付け縁部２，２からなる屋根裏シールド部材であって、溝部Ｘと立ち上がり壁部１，１，及び立ち上がり壁部１と取り付け縁部２が、何れも屈曲自在にしてなり、溝部Ｘに１又は複数の折目を設けて下方へ凹ませる様にしてなる。
【００４５】
本考案の屋根裏シールド部材は、好ましくはポリプロピレン樹脂製のプラスチック段ボール材で作成されるが、これに限定されるものではなく、ポリカーボネート等の他の合成樹脂，帯電防止剤等の添加剤が混入された合成樹脂の他、防水紙，表面が防錆処理された金属等で作成されていても良い。
【００４６】
ポリプロピレン樹脂製のプラスチック段ボール材で作成されてなる場合、ポリプロピレン樹脂は軽量であるから、施工現場への運搬や取り付け施工が容易であって、取り付け施工後も建物に大きな負荷を与えることが無い。ハーモニカ様の中空構造のために十分な強度を有しているから、保管や運搬の際に意図せず力が加わっても容易に変形しない上、施工後も、野地板や屋根材の重みで潰れることが回避される。また、十分な耐熱性を有していて太陽からの放射熱によっても容易に変形しない上、木材の様に腐食する虞も無いから、長期に亘る使用に堪え得る。撥水性を有しているから、本考案の上層に張られた野地板を介して雨水が浸潤又は漏水したとしても前記雨水をより確実に排出することができる。プラスチック段ボール材は、それ自体の断熱性も高いから、本考案による断熱能をより高くすることができる。
【００４７】
溝部Ｘの左右略中央部には、溝部Ｘの前端から後端に至る下方に凹める折目１Ｃが形成されていて、溝部Ｘは折目１Ｃにおいて最も低くなっている。本考案の屋根裏シールド部材を取り付け施工すると、野地板を介して雨水が浸潤又は漏水しても、前記折目付近に雨水が効率的に溜まるから、雨水を効率的に屋外へ排出することができる。
【００４８】
折目１Ｃの数は必ずしも１に限定されず、複数であっても良い。ただし、あまりに多くの折目が形成されていると、屋根裏シールド部材の強度が低下する虞がある。よって、１から３程度の折目が付されていることが好ましい。
【００４９】
立ち上がり壁部１，１は、実施例１と同様、折目１Ａ，１Ａで屈曲された直角台形状であって、その長い方の底辺が、前記溝部Ｘの両側端と接しており、立ち上がり壁部１の後端は、展開図において、溝部Ｘの後端と同一線上にある。
立ち上がり壁部１，１の前端１ａ，１ａは、後方に向けて徐々に高くなる傾斜を持つ直線状に形成され、取り付け縁部２，２の前端２ａ，２ａは後端と平行に形成されている。
【００５０】
立ち上がり壁部１，１の上端には、互いに左右対称な取り付け縁部２，２が折目１Ｂ，１Ｂで屈曲自在に設けられている。取り付け縁部２は直方体状の形状であって、その左右両端の辺は溝部Ｘの左右両端の稜線と平行であって、前後両端の辺は溝部Ｘの前後両端の辺と平行である。取り付け縁部２の前後方向の長さＬ２は、溝部Ｘの前後方向の長さＬ１よりも短く形成されている。垂木上に取り付け縁部２，２を係止して接合する場合、隣接する屋根裏シールド部材の取り付け縁部２を、その前後端が接する様にして取り付けたとしても、溝部Ｘは重なる。より高い密閉性を達成しつつ、垂木上面に面一に取り付けることができるから、野地板を張り付けた後も、より高い防水能を与える。
【００５１】
図１において示される、取り付け縁部２の左右方向の幅Ｗは、リフォーム用の場合、立ち上がり縁部１の上下両端間の距離Ｈよりも幅広く形成されている。本考案の取り付け縁部２，２を、互いに隣り合う垂木の対向する側面に接合する際、溝部Ｘ及び立ち上がり壁部１，１が邪魔にならず、取り付け施工が容易に行える。
【００５２】
溝部Ｘと立ち上がり壁部１，及び立ち上がり壁部１と取り付け縁部２は、それぞれ折目１Ａ，１Ｂで屈曲自在であるから、任意角度に曲げた状態で、本考案の屋根裏シールド部材を取り付け施工することができる。隣り合う垂木間の間隔は施工業者によって差があるが、本考案の屋根裏シールド部材は、その間隔の大小に関わらず取り付けることが可能である。
【施工例１】
【００５３】
図３は、（ａ）はリフォームの場合の実施例１に示す屋根裏シールド部材の取り付け施工例を示す正面図であり、（ｂ）は新築の場合の実施例１に示す屋根裏シールド部材の取り付け施工例を示す正面図である。図４は、（ａ）リフォームの場合の実施例１に示す屋根裏シールド部材の取り付け施工例を示す斜方視断面図であり、（ｂ）は新築の場合の実施例１に示す屋根裏シールド部材の取り付け施工例を示す斜方視断面図である。
【００５４】
リフォームのために、本考案を既存建物に取り付ける場合、図３（ａ）及び図４（ａ）に示すように、互いに隣り合う２本の垂木３，３の対向する側面に、本考案の取り付け縁部２，２を接合する様にして取り付ける。接合の手段は特に限定しないが、十分な接合強度を達成するために、釘やステープル等の止着材４，・・・によって取り付けることが好ましい。
【００５５】
本考案の屋根裏シールド部材は、前後に複数連設して用いることが可能である。第１の屋根裏シールド部材Ｓ１の取り付け縁部２の後端が、連設される第２の屋根裏シールド部材Ｓ２の取り付け縁部２の前端と接する様に取り付けると、第２の屋根裏シールド部材Ｓ２の溝部Ｘの前端付近の一部が、第１の屋根裏シールド部材Ｓ１の溝部Ｘの後端付近の上に重なる。本考案の上に張り付けられた野地板を介して雨水が浸潤又は漏水した場合、第２の屋根裏シールド部材Ｓ２から第１の屋根裏シールド部材Ｓ１へ雨水が流れ落ちる。３以上の屋根裏シールド部材を用いても、この現象が繰り返されることによって、雨水は軒桁付近まで運ばれ屋外へと排出される。
【００５６】
新築建物に本考案を取り付ける場合、図３（ｂ）及び図４（ｂ）に示すように、互いに隣り合う２本の垂木３，３の上面に、本考案の取り付け縁部２，２を係止して接合する。接合の手段は特に限定しないが、十分な接合強度を達成するために、釘やステープル等の止着材４，・・・によって取り付けることが好ましい。
【００５７】
本考案の屋根裏シールド部材は、前後に複数連設して用いることが可能である。第１の屋根裏シールド部材Ｓ１の取り付け縁部２の後端が、連設される第２の屋根裏シールド部材Ｓ２の取り付け縁部２の前端と接する様に取り付けると、第２の屋根裏シールド部材Ｓ２の溝部Ｘの前端付近の一部が、第１の屋根裏シールド部材Ｓ１の溝部Ｘの後端付近の上に重なる。本考案の上に張り付けられた野地板を介して雨水が浸潤又は漏水した場合、第２の屋根裏シールド部材Ｓ２から第１の屋根裏シールド部材Ｓ１へ雨水が流れ落ちる。３以上の屋根裏シールド部材を用いても、この現象が繰り返されることによって、雨水は軒桁付近まで運ばれ屋外へと排出される。
【００５８】
取り付け縁部２の前後方向の長さが溝部Ｘの前後方向の長さに等しい場合、隣接された屋根裏シールド部材の溝部Ｘを重ねるためには、取り付け縁部２をも重ねなければならず、垂木の上面に前記重なりのための凹凸が生じる。そのため、野地板を面一に張り付けることができず、前記凹凸のために隙間が生じ、雨水が浸潤又は漏水する虞が生じる。本考案は、取り付け縁部２の前後方向の長さが溝部Ｘの前後方向の長さよりも短いから、上記の凹凸を生じることなく、雨水が浸潤又は漏水することを回避できる。
【施工例２】
【００５９】
図５は、実施例１に示す屋根裏シールド部材を用いた新築建物の屋根の施工例を示す、側方視断面図である。
【００６０】
図５に示す様に、軸組工法においては、互いに平行な棟木（図示せず）と軒桁５の間にそれらと平行に母屋桁６を設けた後、棟木，軒桁及び母屋桁の上部に、それらの桁と垂直方向に垂木３を設ける。互いに隣り合う垂木３に、本考案の屋根裏シールド部材を取り付ける。その後、野地板７を張り付け、アスファルトルーフィング等の防水シート８を張り付け、更に瓦等の屋根材９を設ける。
【００６１】
従来、屋根材９と防水シート８のみによって雨水の浸潤又は漏水を防止することが試みられてきたが、釘やステープル等の止着材取り付け部分に生じる、野地板の小さな隙間から雨水が浸潤又は漏水してしまう虞がある。本考案によれば、野地板から雨水が浸潤又は漏水しても、雨水は溝部Ｘに溜まり屋外へ排出されるから、屋内及び桁，垂木，野地板等の木材が高湿となることを回避できる。
【００６２】
また、図５に示す様に、本考案に屋根裏シールド部材を複数連設すると、それらと野地板との成す空間は、軒桁から棟木にまで達する。太陽からの放射熱によって屋根材が温められたとしても、前記空間が存在するために熱伝導で屋内の温度上昇が抑制される。前記空間内で温められた空気は、前記空間内を上昇し棟木付近から屋外へと排出されるから、それによっても屋内の温度上昇は抑制される。
【００６３】
上述の通り、本考案を用いて木造建物の屋根裏の施工を行うと、雨水を効率的に屋外に排出することができ、桁，垂木，野地板等の木材を、乾燥した状態に保つことができる。通気性も高いために、腐朽菌の繁殖を抑制することができ木材の腐敗を回避できるから、建物の耐用期間を伸ばすことができる。
【００６４】
本施工例は、新築建物を例に取って説明したが、リフォームのために本考案を取り付けたとしても、奏する効果は同様である。
【図面の簡単な説明】
【００６５】
【図１】本考案に係る屋根裏シールド部材を示す（ａ）は斜視図、（ｂ）は正面図である。（ｃ）は屋根裏シールド部材の他の実施形態を示す正面図である。
【図２】本考案に係る屋根裏シールド部材の展開図を示す平面図である。
【図３】（ａ）はリフォームの場合の本考案に係る屋根裏シールド部材の取り付け施工例を示す正面図であり、（ｂ）は新築の場合の本考案に係る屋根裏シールド部材の取り付け施工例を示す正面図である。
【図４】（ａ）リフォームの場合の本考案に係る屋根裏シールド部材の取り付け施工例を示す斜方視断面図であり、（ｂ）は新築の場合の本考案に係る屋根裏シールド部材の取り付け施工例を示す斜方視断面図である。
【図５】本考案に係る屋根裏シールド部材を用いた新築建物の屋根の施工例を示す、側方視断面図である。
【符号の説明】
【００６６】
Ｓ  屋根裏シールド部材
Ｓ１  第１の屋根裏シールド部材
Ｓ２  第２の屋根裏シールド部材
Ｘ  溝部
１  立ち上がり壁部
１ａ，２ａ  前端
１Ａ，１Ｂ，１Ｃ  折目
２  取り付け縁部
３  垂木
４  止着材
５  軒桁
６  母屋桁
７  野地板
８  防水シート
９  屋根材
【図１】
0003133290.tif 000003
【図２】
0003133290.tif 000004
【図３】
0003133290.tif 000005
【図４】
0003133290.tif 000006
【図５】
0003133290.tif 000007